(57)【要約】  蛇篭（２２）を保持するコンテナ（３０）と、折り畳み型式の蛇篭（２２）を含む蛇篭展開システムであって、前記蛇篭が、格納のために折り畳み可能で使用のために展開できるように蝶番で取り付け、接続した側壁（１６と１８）および交差部材（１２）と、コンテナ（３０）に関連付けられ前記コンテナ内に蛇篭（２０）を保持する保持手段（５０）と、保持手段（５０）に蛇篭（２２）の少なくとも一部を取り付け、接続または維持係合させる少なくとも一つの開放可能取り付け、接続または維持係合手段（６６）を含み、蛇篭（２２）を折り畳むとき保持手段（５０）に蛇篭（２２）の一部を取り付け、接続または維持係合するが、蛇篭（２２）を展開するとき保持手段（５０）から蛇篭（２２）を開放するように、少なくとも一つの開放可能取り付け、接続または維持係合手段（６６）を適合させるシステム。
2010514959.tif 000002
【特許請求の範囲】
【請求項１】
折り畳んだ蛇篭の格納に適し、そこから蛇篭を展開可能なコンテナであって、底部、少なくとも一つの側壁および屋根を含み、内部に保持手段を配置し、少なくとも一つの開放可能取り付け、接続または維持係合手段によって、折り畳んだ蛇篭を前記保持手段内、保持手段上、または保持手段に対して開放可能なように取り付け、接続または維持係合でき、前記蛇篭を折り畳んだとき前記保持手段に蛇篭の一部を取り付け、接続または維持係合させるが、前記蛇篭を展開したとき前記保持手段から蛇篭を開放するように、前記少なくとも一つの開放可能取り付け、接続または維持係合手段を適合させるコンテナ。
【請求項２】
格納のために折り畳み可能で使用のために展開可能なように、蝶番で取り付け、接続した側壁と交差部材、および保持手段への蛇篭の取り付け、接続または維持係合に適した少なくとも一つの開放可能取り付け、接続または維持係合手段を含み、前記蛇篭を折り畳んだとき前記保持手段に蛇篭の一部を取り付け、接続または維持係合させるが、前記蛇篭を展開したとき前記保持手段から蛇篭を開放するように、前記少なくとも一つの開放可能取り付け、接続または維持係合手段を適合させる型式の蛇篭。
【請求項３】
蛇篭を保持するコンテナと、折り畳み形式の蛇篭を含む蛇篭展開システムであって、前記蛇篭が、格納のために折り畳み可能で使用のために展開できるように、蝶番で取り付け、接続した側壁および交差部材と、前記コンテナに関連付けられ前記コンテナ内に蛇篭を保持する保持手段と、前記保持手段に蛇篭の少なくとも一部を取り付け、接続または維持係合させる少なくとも一つの開放可能取り付け、接続または維持係合手段を含み、前記蛇篭を折り畳んだとき前記保持手段に蛇篭の一部を取り付け、接続または維持係合させるが、前記蛇篭を展開したとき前記保持手段から蛇篭を開放するように、前記少なくとも一つの開放可能取り付け、接続または維持係合手段を適合させるシステム。
【請求項４】
コンテナが、船および／または車両トレーラ上への積載に適している請求項１〜３のいずれか一つに記載のコンテナ、蛇篭または蛇篭展開システム。
【請求項５】
コンテナの屋根が、その所望の下側に配置した保持手段を備えている請求項１〜４のいずれか一つに記載のコンテナ、蛇篭または蛇篭展開システム。
【請求項６】
保持手段が、一つ以上のフック、小穴、または歯状突起部を含む請求項１〜５のいずれか一つに記載のコンテナ、蛇篭または蛇篭展開システム。
【請求項７】
保持手段が、一つ以上の細長い部材を含む請求項１〜４のいずれか一つに記載のコンテナ、蛇篭または蛇篭展開システム。
【請求項８】
一つ以上の細長い部材が、バー、ロッドまたはケーブルを含む請求項７に記載のコンテナ、蛇篭または蛇篭展開システム。
【請求項９】
保持手段が、実質的にコンテナの長さ全体に沿って延長する請求項７または８のいずれか一つに記載のコンテナ、蛇篭または蛇篭展開システム。
【請求項１０】
保持手段が、コンテナの周囲を超えて引き込み可能なように延長できる請求項７、８または９のいずれか一つに記載のコンテナ、蛇篭または蛇篭展開システム。
【請求項１１】
少なくとも一つの開放可能取り付け、接続または維持係合手段が、折り畳んだ蛇篭区画のエッジ部分、折れやすいループ、折れやすいリング、蛇篭の折れやすい部分、変形可能な部材、ヘリカル部材、およびクリップを含むグループの一つである請求項１〜１０のいずれか一つに記載のコンテナ、蛇篭または蛇篭展開システム。
【請求項１２】
ループ、折れやすいリングまたは蛇篭の折れやすい部分が脆弱点を備え、所定の位置および／または負荷において、取り付け、接続または維持係合手段を破壊させる請求項１１に記載のコンテナ、蛇篭または蛇篭展開システム。
【請求項１３】
クリップが、カラビナ型クリップまたはバネカム型クリップである請求項１１に記載のコンテナ、蛇篭または蛇篭展開システム。
【請求項１４】
所定の負荷で開放するように開放可能取り付け、接続または維持係合手段を適合させる請求項１〜１３のいずれか一つに記載のコンテナ、蛇篭または蛇篭展開システム。
【請求項１５】
所定の負荷が、蛇篭の一部の重量、または蛇篭に加えられる牽引力に実質的に対応する請求項１４に記載のコンテナ、蛇篭または蛇篭展開システム。
【請求項１６】
開放可能取り付け、接続または維持係合手段が、蛇篭と一体的に形成される請求項１〜１５のいずれか一つに記載のコンテナ、蛇篭または蛇篭展開システム。
【請求項１７】
折り畳んだ蛇篭を積載した実質的に長方形の断面のコンテナを含む蛇篭展開システムであって、前記蛇篭が、蝶番で取り付け、接続した側壁および交差部材と、前記コンテナの長手方向に沿って実質的に延び、開放可能取り付け、接続または維持係合手段によって折り畳んだ蛇篭に、その長手方向に沿って周期的に取り付け、接続または維持係合する締め付けラインの形態の保持手段を含む型式であり、前記交差部材がコンテナの端部と実質的に平行に位置し、前記コンテナを開いたとき提示される端部の交差部材を用いてコンテナから蛇篭を引っ張ることによって、または前記端部の交差部材を保持しながらコンテナを引っ張ることによって、または前記端部の部材を引っ張りながらコンテナを引っ張ることによって蛇篭をコンテナから取り出すことができ、最初に引き出される蛇篭のユニットの重量によって、最初の開放可能取り付け、接続または維持係合手段を分離し、以降に引き出される蛇篭のユニットの重量によって、以降の開放可能取り付け、接続または維持係合手段を分離し、前記コンテナから引き出した展開状態に蛇篭を移動し、最初に引き出されるユニットが実質的に展開する前に、前記蛇篭の以降に引き出されるユニットのコンテナからの引き出しを抑制するシステム。
【請求項１８】
コンテナの床が、蛇篭の設置面積に実質的に対応する請求項１〜１７のいずれか一つに記載のコンテナ、蛇篭または蛇篭展開システム。
【請求項１９】
蛇篭の端部壁が、コンテナの断面に実質的に対応する請求項１〜１７のいずれか一つに記載のコンテナ、蛇篭または蛇篭展開システム。
【請求項２０】
折り畳んだ蛇篭がコンテナの壁によって移動を実質的に抑制されるように、前記コンテナの内部寸法と折り畳んだ蛇篭の寸法を対応させる請求項１８または１９のいずれかに記載のコンテナ、蛇篭または蛇篭展開システム。
【請求項２１】
保持手段が一連の突起部を含み、格納した蛇篭を使用中、二つの突起部の間のギャップが、多区画蛇篭の一つ以上の折り畳んだ蛇篭のエッジ部分を収容する請求項１〜２０のいずれか一つに記載のコンテナ、蛇篭または蛇篭展開システム。
【請求項２２】
突起部の材料が、弾性を備えるように選択される請求項２１に記載のコンテナ、蛇篭または蛇篭展開システム。
【請求項２３】
コンテナから折り畳んだ蛇篭を取り出す牽引力を加える際、突起部が十分に屈曲し、ギャップからエッジ部分を開放できる請求項２２に記載のコンテナ、蛇篭または蛇篭展開システム。
【請求項２４】
案内ラインまたはロッドによって突起部自体が共に接続され、前記案内ラインまたはロッドが、実質的に屈曲しない方向に突起部を抑制するように接続されながら機能する請求項２１〜２３のいずれか一つに記載のコンテナ、蛇篭または蛇篭展開システム。
【請求項２５】
案内ラインが突起部から取り外されたときだけ所定の突起部が屈曲し、折り畳んだ蛇篭区画のエッジ部分を開放できる請求項２４に記載のコンテナ、蛇篭または蛇篭展開システム。
【請求項２６】
案内ラインが、折り畳んだ蛇篭自体に追加的に動作可能なように接続される請求項２４または請求項２５に記載のコンテナ、蛇篭または蛇篭展開システム。
【請求項２７】
案内ラインが、その目的用の適切なオリフィスまたは接続手段をそれ自体に備えた突起部を通過し、コンテナの入口のない前端に向かって進み、プーリを周り、折り畳んだ蛇篭、もしくはその目的用に設けた適切なオリフィスまたは接続手段を介して、前記コンテナの入口の後端に向かって通過し、前記コンテナの入口の後端に配置した、またはそれに向かって配置した蛇篭の第１区画において、またはそれに向かって蛇篭に固定される請求項２６に記載のコンテナ、蛇篭または蛇篭展開システム。
【請求項２８】
折り畳んだ蛇篭の格納に適し、そこから蛇篭を展開可能なコンテナであって、底部、少なくとも一つの側壁および屋根を含み、内部に保持手段を配置し、少なくとも一つの開放可能取り付け、接続または維持係合手段によって、折り畳んだ蛇篭を前記保持手段内、保持手段上、または保持手段に対して開放可能なように取り付け、接続または維持係合でき、前記蛇篭を折り畳んだとき前記保持手段に蛇篭の一部を取り付け、接続または維持係合させるが、前記蛇篭を展開したとき前記保持手段から蛇篭を開放するように、前記少なくとも一つの開放可能取り付け、接続または維持係合手段を適合させ、前記保持手段が一連の突起部を含み、開放可能取り付け、接続または維持係合手段が、折り畳んだ蛇篭区画のエッジ部分を含むコンテナ。
【請求項２９】
折り畳んだ多区画蛇篭または安全障壁の格納に適したコンテナであって、底部、少なくとも一つの側壁および屋根を含み、前記屋根またはコンテナの上部が櫛構造を含む保持手段を備え、第１櫛歯または櫛歯対が、折り畳んだ蛇篭または安全障壁の第１区画または壁を維持係合し、第２櫛歯または櫛歯対が、蛇篭または安全障壁の第２区画または壁を維持係合するコンテナ。
【発明の詳細な説明】
【技術分野】
【０００１】
本発明は、蛇篭の展開、特にその改善、および蛇篭の格納および／または展開に関する。
【背景技術】
【０００２】
蛇篭は一般に、側壁パネル、端部パネル、および前記側壁パネルを接続する隔壁パネルを含む型式の構造であり、全てのパネルは通常長方形であり、共に旋回するように取り付け、接続可能であり、前記構造が使用のための拡大（または展開）状態と、格納および輸送のための畳み込み（または折り畳み）状態の間を移動できるようになっている。展開状態では、前記構造は細長く、パネルは前記構造の長手方向に延びるキャビティの行を画定し、端部キャビティ以外の各キャビティは側壁パネルと隔壁パネルによって画定され、端部キャビティは側壁パネル、隔壁パネル、端部パネルによって画定される。これらのキャビティにはバラストまたは建築資材を充填でき、そうすると前記構造は堅牢な壁となり、洪水の防御、軍事装置および人員用、および山腹や河岸などの支柱用、もしくは単に所有地その他の境界として用いることができる。それらは、配置される用途に依存して、並列させて、端部をつなげてまたは重ね合わせて用いることができる。
【０００３】
折り畳み状態では、前記構造は一般に平坦であり、隔壁および端部パネルは平行な面内にある一方、各側壁の側壁パネルは互いにジグザグ状または蛇腹状に折り畳まれ、畳み込んだ構造の平面設置面積が長方形になるようにする。
【０００４】
当然のことながら、本明細書で「長方形」と呼ばれるものは、特に長方形の一形態である正方形を含むものとする。
【０００５】
上記の型式の構造の一例は、特許文献１の図１と図２に示されており、付随する説明もその特許に含まれている。
【０００６】
蛇篭は、多くの異なる用途で世界中で用いられており（例えば、洪水の防止、または敵軍に対する保護のために）素早く展開する必要がある状況でしばしば用いられる。特許文献１に記載されているように、旋回するように取り付け、接続された多区画蛇篭の一つの利点は、それらを容易に素早く直立させ、特に前記欧州特許で記載されているこれらの実施形態において容易に入手可能で安価な材料を充填できることであり、そのパネルはメッシュからなり、ジオテキスタイルの裏地材料を備え、前記メッシュの孔から充填材料の粒子が落下しないようにする。このメッシュおよび裏地材料の構造は本発明の好ましい形態であるが、本発明はこの特定の形態には限定されない。
【０００７】
従来、蛇篭はパレット上に山積みで供給され、収縮包装プラスチック材料で包装されていることが多かった。これは十分であり、特により小さなサイズの蛇篭の場合は十分であり続けると思われるが、より大きな蛇篭では収縮包装の除去、パレットからの蛇篭の除去は時間がかかり、緊急事態では時間が最重要であり防護壁を直立させる時間は節約できる方がよい。
【先行技術文献】
【特許文献】
【０００８】
【特許文献１】欧州特許番号０４６６７２６Ｂ１
【発明の概要】
【発明が解決しようとする課題】
【０００９】
本発明は、この領域での改善を実現することを求め、本方法の欠点なしに、畳み込んだ折り畳み状態から展開状態への蛇篭の直立を素早く効率的に実現できる手段を提供する。
【課題を解決するための手段】
【００１０】
従って、本発明の第１形態は、折り畳んだ蛇篭の格納に適し、そこから蛇篭を展開可能なコンテナを提供し、前記コンテナは底部、少なくとも一つの側壁および屋根を含み、前記コンテナは内部に保持手段を配置し、少なくとも一つの開放可能取り付け、接続または維持係合手段によって、折り畳んだ蛇篭を前記保持手段内、保持手段上、または保持手段に対して開放可能なように取り付け、接続または維持係合でき、前記蛇篭を折り畳んだとき前記保持手段に蛇篭の一部を取り付け、接続または維持係合させ、前記蛇篭を展開したとき前記保持手段から蛇篭を開放するように、前記少なくとも一つの開放可能取り付け、接続または維持係合手段を適合させる。
【００１１】
本発明の第２形態は、格納のために折り畳み可能で、使用のために展開可能なように、蝶番で取り付け、接続した側壁および交差部材と、保持手段への蛇篭の取り付け、接続または維持係合に適した少なくとも一つの開放可能取り付け、接続または維持係合手段を含む型式の蛇篭を提供し、前記蛇篭を折り畳んだとき前記保持手段に蛇篭の一部を取り付け、接続または維持係合させるが、前記蛇篭を展開したとき前記保持手段から蛇篭を開放するように、前記少なくとも一つの開放可能取り付け、接続または維持係合手段を適合させる。
【００１２】
本発明の第３形態は、蛇篭を保持するコンテナと、折り畳み形式の蛇篭を含む蛇篭展開システムを提供し、前記蛇篭は格納のために折り畳み可能で使用のために展開できるように、蝶番で取り付け、接続した側壁および交差部材と、前記コンテナに関連付けられ前記コンテナ内に蛇篭を保持する保持手段と、前記保持手段に蛇篭の少なくとも一部を取り付け、接続または維持係合させる少なくとも一つの開放可能取り付け、接続または維持係合手段を含み、前記蛇篭を折り畳んだとき前記保持手段に蛇篭の一部を取り付け、接続または維持係合させるが、前記蛇篭を展開したとき前記保持手段から蛇篭を開放するように、前記少なくとも一つの開放可能取り付け、接続または維持係合手段を適合させる。
【００１３】
コンテナは任意の適切な型式であってもよいが、キャビティを画定する底部、複数の側壁、屋根を含み、前記キャビティ内に折り畳んだ蛇篭を格納できると想定される。好ましくはコンテナは、一つ以上の扉などの閉鎖可能な開口部を備えている。扉が設けられている場合は、それは好ましくは施錠可能である。好ましくはコンテナは、堅牢および／または強固および／または耐久性のある材料（例えば、金属またはプラスチック）から製造される。コンテナの好ましい実施形態は表面に固定可能な外部構成物（突起部や開口部など）を備え、表面の対応する開口部や突起部に各々相互に係合可能である。構成物はコンテナ上に設けて、クレーンや他の装置を用いて巻き上げおよび／または操作可能にすることもできる。
【００１４】
最も好ましい実施形態は、船および／または車両トレーラ上への積載に適した型式のコンテナに見られる。
【００１５】
コンテナの屋根は、その所望の下側に保持手段を配置するように選択され、折り畳んだ蛇篭を前記保持手段に取り付け、接続または維持係合できるようする。代替的または付加的に、コンテナの所定の側壁または各側壁の所望の内側に保持手段を配置するように選択され、折り畳んだ蛇篭を前記保持手段に取り付け、接続または維持係合できるようにする。代替的または付加的に、コンテナの底部は、所望の上側に保持手段を配置するように選択され、折り畳んだ蛇篭を前記保持手段に取り付け、接続または維持係合できるようにする。
【００１６】
しかし、好ましくはコンテナは、その屋根および／またはその側壁の上側領域に前記保持手段を備えている。保持手段は、フックまたは小穴または機械的に拘束する任意の他の適切な形態を含むことができる。しかし、好ましくは保持手段は、バーまたはケーブルなどの細長い部材を含み、前記部材に蛇篭の一部をスライド可能なように取り付け、接続または維持係合できる。保持手段は、コンテナの長さ全体に延びていてもよい。さらに、コンテナの外側であっても蛇篭の一部を保持できるように、コンテナの周囲を超えて（つまり、その扉または開口部から出て）引き込み可能なように延ばして保持手段を適合させてもよい。
【００１７】
一つの特に好ましい形態では、保持手段は一連の突起部を含み、前記突起部は歯形であってもよく、格納した蛇篭を使用中、二つの突起部の間のギャップが多区画蛇篭の一つ以上の折り畳んだ区画のエッジ部分を収容する。突起部の材料はやや弾性を備えるように選択でき、例えば、折り畳んだ蛇篭をコンテナから取り外すために牽引力を加えるとき、突起部はギャップからエッジ部分を開放するために十分に屈曲できる。例えば、多区画蛇篭が１０個の区画を含むとき、折り畳んだ蛇篭は１０個の突起部を備えたコンテナ内に格納／配送され、第１突起部がコンテナの入口と第１蛇篭区画の間に配置され、第２突起部が第１および第２蛇篭区画の間に配置され、第１蛇篭区画のエッジ部分が第１および第２突起部の間のギャップ内に延び、第３突起部が第２および第３蛇篭区画の間に配置され、第２蛇篭区画のエッジ部分が第２および第３突起部の間のギャップ内に延び、…、第１０突起部が第９および第１０蛇篭区画の間に配置され、第９蛇篭区画のエッジ部分が第９および第１０突起部の間のギャップ内に延びている。しかし、これは一例にすぎないことも強調すべきであり、蛇篭区画と同じ数の突起部を提供することは必須でなくてもよく、例えばいくつかの場合、第１蛇篭区画または最初のいくつかの蛇篭区画を保持することでも十分である。いくつかの場合、一対の突起部の間に、一つより多く（例えば、二つまたは三つ）の折り畳んだ蛇篭区画のエッジ部分を収容することもできる。
【００１８】
この最後の形態の特に好ましい変形態様は、案内ラインまたはロッド（例えば、ワイヤなど）によって突起部自体を共に取り付け接続でき、それは実質的に屈曲しない方向で突起部を保持するように一方で取り付け、接続する（それによって、案内ラインまたはロッドを除去するまで、折り畳んだ蛇篭区画のエッジ部分を開放しないように好ましくは十分に屈曲しないことを意味する）。この実施形態では、突起部から案内ラインを取り外すときだけ所望の突起部は屈曲し、折り畳んだ蛇篭区画のエッジ部分を開放できる。蛇篭を配送または格納する場合、案内ラインは所定の場所に保持される。蛇篭を展開すると案内ラインが最初に取り外されるか、展開と同時にまたは連続的に取り外される。案内ラインは追加的に、折り畳んだ蛇篭自体に操作可能なように取り付け、接続することもできる。一実施形態では、案内ラインは、コンテナの前端（入口ではない）に向かって突起部を通過させ（それ自体その目的に適したオリフィスまたは接続手段を備えている）プーリを周り、折り畳んだ蛇篭を介して（またはその目的で設けた適切なオリフィスまたは接続手段を介して）コンテナの後端（入口）に向かって通過させ、コンテナの後端（入口）に配置した、またはそれに向かう蛇篭の第１区画においてまたはそれに向かって蛇篭に固定される。この機構によって、案内ラインは、蛇篭をコンテナから取り外すとき（最初の、後端の突起部で始まる）突起部から実質的に取り外される。
【００１９】
従って、本発明の一実施形態は折り畳んだ蛇篭の格納に適し、そこから蛇篭を展開可能なコンテナを提供し、前記コンテナは底部、少なくとも一つの側壁および屋根を含み、前記コンテナは内部に保持手段を配置し、少なくとも一つの開放可能取り付け、接続または維持係合手段によって、折り畳んだ蛇篭を前記保持手段内、保持手段上、または保持手段に対して開放可能なように取り付け、接続または維持係合でき、前記蛇篭を折り畳んだとき前記保持手段に蛇篭の一部を取り付け、接続または維持係合させるが、前記蛇篭を展開したとき前記保持手段から蛇篭を開放するように、前記少なくとも一つの開放可能取り付け、接続または維持係合手段を適合させ、前記保持手段は一連の突起部を含み、開放可能取り付け、接続または維持係合手段は折り畳んだ蛇篭の区画エッジ部分を含んでいる。
【００２０】
当然のことながら、突起部は、コンテナの屋根、床または側壁のいずれか一つ（または複数）に設けることができる。しかし、好ましくは、それらは屋根または側壁の上側領域に設けられる。
【００２１】
保持手段によって展開中の蛇篭がカム作用を受ける開放可能な係合の別の機構も想定される。
【００２２】
保持手段は所定の実施形態では櫛形の構造を含み、第１櫛歯または櫛歯対は折り畳んだ第１蛇篭区画に維持係合し、第２櫛歯または櫛歯対は第２蛇篭区画に維持係合する。
【００２３】
少なくとも一つの開放可能取り付け、接続または維持係合手段は、任意の適切な型式であってもよい。当然のことながら、適切な開放可能取り付け、接続または維持係合手段はとりわけ次のものを含むことができる。
・折り畳んだ蛇篭の区画エッジ部分
・折れやすいループまたはリング
・蛇篭の折れやすい部分
・変形可能なヘリカル部材
・開放可能なライン
・クリップ
【００２４】
開放可能取り付け、接続または維持係合手段が折れやすい場所にはノッチまたは溝などの脆弱点を設け、取り付け、接続または維持係合手段を所定の位置および／または負荷で破壊させる。
【００２５】
カラビナ型クリップまたはバネ−カム型クリップなどの任意の適切な型式のクリップを用いることもできる。
【００２６】
少なくとも一つの開放可能取り付け、接続または維持係合手段は、蛇篭を折り畳んだとき保持手段に蛇篭の一部を取り付け、接続または維持係合させるが、前記蛇篭を展開したとき前記保持手段から蛇篭を開放するように適合させる。以上のように、蛇篭自体によってまたはその一部によって、開放可能取り付け、接続または維持係合手段が提供されるようにコンテナの保持手段を設計できる。この意味では、取り付け、接続または維持係合手段は、保持手段から開放可能であるという意味で開放可能である。他の実施形態では、取り付け、接続、維持係合手段はそれに加えてまたはその代わりに蛇篭自体から開放可能であってもよい。
【００２７】
開放可能取り付け、接続または維持係合手段は、所定の負荷において破壊（折れやすい場所で）、分離（クリップの場所で）または変形し（変形可能な場所で）、所定の負荷においてコンテナの保持手段を破壊または変形させるように好ましくは適合させる。所定の負荷は、蛇篭の一部の重量に実質的に従って選択できる。本発明の一つの可能な実施形態では、開放可能取り付け、接続または維持係合手段は、蛇篭の一部の重量および追加の力（例えば、手または機械支援牽引）によって負荷をかけたとき、蛇篭の一部を破壊および／または開放するように適合させる。
【図面の簡単な説明】
【００２８】
【図１】従来技術の単一ユニットの蛇篭の概略図。
【図２】折り畳み構成の従来技術の複数ユニットの蛇篭の概略図。
【図３】展開構成の従来技術の複数ユニットの蛇篭の概略図。
【図４】従来技術のコンテナの蛇篭展開システムの概略図。
【図５ａ】本発明によるコンテナの蛇篭展開システムの概略図。
【図５ｂ】本発明によるコンテナの蛇篭展開システムの概略図。
【図５ｃ】本発明によるコンテナの蛇篭展開システムの概略図。
【図６】本発明によるコンテナの蛇篭展開システムの概略図。
【図７】本発明によるコンテナの蛇篭展開システムの概略図。
【図８】リング型の開放可能取り付け、接続または維持係合手段の側面図。
【図９】リング型の開放可能取り付け、接続または維持係合手段の側面図。
【図１０】リング型の開放可能取り付け、接続または維持係合手段の側面図。
【図１１】所定の隠れ線を示すクリップ型の開放可能取り付け、接続または維持係合手段の側面図。
【図１２】本発明によるコンテナの蛇篭展開システムの概略図。
【図１３】本発明によるコンテナの蛇篭展開システムの概略図。
【発明を実施するための形態】
【００２９】
ここで図面を参照すると、図１は従来技術の単一ユニットの蛇篭１０の概略図を示しており、それは側壁に蝶番１４で接続した一対の端部壁１２を含んでいる。側壁は二つのパネル１６と１８を含み、各パネルは互いに蝶番２０で接続し、さらに端部壁１４に接続する。本発明と共に使用するのに適した別の蛇篭設計は、単一パネルの側壁を含んでいる。二つより多くのパネルを含む側壁も、本発明の範囲内で想定される。各壁１２、１６および１８は、ワイヤメッシュから構成される。蝶番接続１４と２０は一般にヘリカルワイヤ部材であり、隣接する壁１２、１６および１８の対応するエッジワイヤと係合する。蝶番１４と２０は、壁１２、１６および１８から分離可能なことがある（この場合は我々の先行出願ＧＢ０４２４３２１．８参照）。メッシュパネルではなく、実質的に閉じたパネルから側壁を提供するなど異なる構成も可能である。
【００３０】
ここで図２と４を参照すると、従来技術の複数ユニットの蛇篭２２が示されている。この構成は図１に示したものと同様であるが、側壁１６と１８および端部壁１２は繰り返しユニットを構成し、前記繰り返しユニットは所望の長さの蛇篭２２の製造に必要な数だけ追加できる。
【００３１】
蛇篭２２は、折り畳み構成（図２）で格納され、矢印Ａで示された張力を加えることによって展開構成（図３）に延長される。逆に、蛇篭２２は、矢印Ａと逆方向の圧縮力を加えることによって折り畳むことができる。
【００３２】
いったん展開されると、蛇篭は任意の適切な材料（例えば、岩、砂、土、氷など）を充填し、壁型の構造を製造できる。蛇篭は一般にシート材料からなる裏地（図示せず）を備え、メッシュの孔から充填材料が漏れることを抑制する。
【００３３】
図４、５、６および７では蛇篭２２は、簡略化のために一連の端部壁１２のみを示すことによって表されている。側壁は破線で表され、端部壁１２を互いに取り付け、接続していることを示す。
【００３４】
蛇篭２２の輸送の一つの簡便な方法は、図４によって示されたコンテナで行うことである。コンテナ３０は一般に、底部３２、側壁および端部壁３４と屋根３６を含んでいる。底部３２は開口タブ３８を備え、開口タブ３８は（この場合は）運搬車４２上に設けたピン４０と係合する。コンテナ３０は小穴４４を備え、クレーン（図示せず）を用いて運搬車４２上に載せたりそこから降ろしたりできる。
【００３５】
蛇篭２２は、矢印Ｂによって示した第１端部壁１２’を引っ張ることによって、通常ユニット毎に蛇篭を延ばすように展開される。引っ張りＢは、端部壁１２’を引っ張ること、端部壁１２’を保持して矢印Ｃで示した方向に運搬車を運転すること、または両方の組み合わせによって実現できる。
【００３６】
この方法での蛇篭２２の輸送と展開の主要な問題は、傾斜した地面４６上で蛇篭２２を展開するとき、蛇篭２２がコンテナ３０から倒れる傾向があることである。蛇篭２２の様々な部品４８は互いに取り付け、接続されているので、いったん倒れ始めると、蛇篭２２の全てではないとしても、大部分が運搬車４２の後方の地面にこぼれる可能性がある。これは、近くの人間にとって極めて危険な可能性がある。別の問題は、蛇篭２２が絡まったり壊れたりする可能性があり、それを整えるのは非効率で、無駄が多く、時間がかかる可能性がある。
【００３７】
本発明の様々な変形態様は、図５〜１３の図面に示されている。
【００３８】
本発明の好ましい実施形態は、図５ａ〜５ｃに示されている。図５ａでは、コンテナ３０は屋根３６を備えるように示されている。屋根３６の下側の両端からは小穴３７を懸吊し、スナップフック３９によって保持ケーブル５０の形態の保持手段を小穴３７に取り付け接続する。蛇篭２２の端部壁１２は、不連続なリング６６によって保持ケーブル５０に取り付け、接続する。
【００３９】
保持ケーブル５０は、取り付け、接続または維持係合リング６６が最初に破壊または変形することなく、コンテナ３０から蛇篭２０がこぼれないようにする。
【００４０】
図５ｂでは、各端部壁には一対の取り付け、接続または維持係合リング６６を設け、一対の間隙を介した実質的に平行な保持ケーブル５０に取り付け、接続または維持係合させることがわかる。
【００４１】
平行ではない支持ケーブル５０を設け、コンテナ３０の扉に近づくほど、蛇篭２２のそれに沿ったスライドがより困難になるようにすることもできる。
【００４２】
蛇篭２２は工場で組み立て、取り付け、接続または維持係合リング６６を設けて折り畳むことも想定される。それから、取り付け、接続または維持係合リング６６に一つ以上の支持ケーブル５０を通過させ、一つ以上のケーブル５０の両端にクリップ留め具３９を取り付け、接続または維持係合させることもできる。それから、蛇篭２２をコンテナ３０内に積載し、屋根の小穴３７にクリップ留め具３９を取り付け、接続または維持係合できる。
【００４３】
図５ｃでは、コンテナ３０は、屋根３６の下側に配置した保持手段５０を備えている。保持手段は、保持ケーブル５４を取り付け、接続または維持係合させる取り付け部５２を含んでいる。延長可能／引き込み可能取り付け部５６は、保持ケーブル５４の他方の端部に取り付け、接続または維持係合される。延長可能／引き込み可能取り付け部５６は、シース６０にスライド可能なように係合できる支持バー５８を含んでいる。端部止め具６２は、所望の範囲を超えて支持バーがスライドしないように設けられる。支持バー５８はシース６０から懸吊し、内部に凹凸６４を備え、それに沿った蛇篭２２の移動を抑制する。
【００４４】
開放可能取り付け、接続または維持係合手段６６は、蛇篭２２の各端部壁１２に関連付けられ、保持ケーブル５４または支持バー５８のいずれかに蛇篭２２の各端部壁１２を接続する。保持ケーブル５４と支持バー５８の高さは、蛇篭２２の重量の大部分がコンテナの床によって支持されるようにする。
【００４５】
使用中、図６に示したように、コンテナ３０の扉を開き、矢印Ｄによって示した方向に蛇篭２２の第１端部壁１２’を引っ張る。支持バー５８はコンテナ３０の周囲６８を超えてスライドし、蛇篭２２の一部が周囲６８を超えて懸架されるようにする。支持バー５８は、端部止め具６２によってシース６０から離脱されない。
【００４６】
開放可能取り付け、接続または維持係合手段６６は、蛇篭の一部の重量の下で分離６６’を行うか、またはそこに追加の力Ｅを加えたとき分離するように構成できる。従って、蛇篭２２は、最初の所望の数のユニットの引き出しＤを行い、それから引き下げＥを行い、蛇篭２２の所望の数のユニットを開放することによって、使用者がユニット毎に展開できる。開放可能取り付け、接続または維持係合手段６６が蛇篭２２の重量だけで分離するように構成されている場合、使用者は最初のユニットの引き出しＤを行う必要があるだけで、残りは運搬車４２の進行Ｆが行われればそれに従う。
【００４７】
図７は、運搬車４２が傾斜した地面４６上にあるとき、どのように蛇篭がコンテナ３０から展開することもこぼれることもないかを示している。開放可能取り付け、接続または維持係合手段６６は蛇篭２２の重量を支持するように構成され、追加の力Ｅが加えられない限り、こぼれないようにする。さらに、支持バー５８内の凹凸６４はコンテナ３０の周囲を超えて進む蛇篭のユニット数を制限し、開放可能取り付け、接続または維持係合手段６６上への負荷を制限し、そこに追加の力Ｅが加えられないようにする。
【００４８】
本発明の別の実施形態では、取り付け部５２と拡張可能／引き込み可能取り付け部５６を用いて排出し、保持ケーブル５４のみを備えた保持手段が見られる。所望の張力を維持するために、プーリ／バネ／張力機構を保持ケーブルに関連付けることもできる。
【００４９】
ここで図８〜１１を参照すると、様々な可能な型式の開放可能取り付け、接続または維持係合手段６６が示されている。
【００５０】
図８では、開放可能取り付け、接続または維持係合手段６６は、内部にノッチ７２を備えた金属リング７０を含んでいる。ノッチは内部に所定の円周応力が達成されたとき、リング７０が破壊するように構成される。
【００５１】
図９では、内部に切れ目７４を備えた金属リング７０が示されている。力を加えるとリング７０は変形し、切れ目７４が拡大し（破線で示したように）保持手段から蛇篭を開放する。
【００５２】
図１０では、蛇篭２２の端部壁１２は一体的に形成したループ７６を備え、そこに保持ケーブル等を通過させることができる。ループ７６は所定の負荷の下で破壊するように、内部に脆弱点７８（この場合はノッチ）を備えている。ループ７６は、側壁１６、１８または蝶番１４、２０等の蛇篭２２の任意の部分と一体的に形成できる。
【００５３】
図１１は、カム部材の形態の開放可能取り付け、接続または維持係合手段６６を示している。開口部７８はその本体８０内に設け、保持ケーブル／バー／ロッドを通過させることができる。カム部材８２は本体８０内に取り付け、旋回部８４の周りで旋回するように設けられる。カム部材８２の片側は、蛇篭２２の一部８８を収容する切り欠き８６を備えている。蛇篭２２の一部８８は、対応するカム部材の切り欠き８６と、本体８０内の切り欠き９０によって保持される。カム部材８２は、バネ玉軸受け９２によってその場に保持される。
【００５４】
余分な負荷Ｅが蛇篭２２に加えられると、カム部材８２は回転Ｇを行い、バネ玉軸受け９２は押圧Ｈを受ける。カム部材８２は結果的に中心から離れ、カム部材切り欠き８６はもはや本体の切り欠き９０と一致せず、蛇篭２２の一部８８を開放する。開放可能取り付け、接続または維持係合手段６６から蛇篭を分離するために必要な力Ｅは、バネ玉軸受け９２によってカム部材８２に加えられる圧縮力を調整することによって設定される。
【００５５】
図１２は、輸送用の運搬車１２１の後方に貨物コンテナ１２０を取り付ける蛇篭展開システムを示している。図１２では、コンテナは移動中であり、コンテナの後方の扉１２２は閉じられている。コンテナの内側には、例えば、特許文献１、ＰＣＴ／ＧＢ２００６／０５０３６７またはＰＣＴ／ＧＢ２００６／０５０２５６０に記載されている型式の多区画蛇篭１２３、またはＰＣＴ／ＧＢ２００７／０５０４５０に記載されている型式の安全障壁を格納する。図の実施形態では、多区画蛇篭または安全障壁は１０個の区画を備え、各区画は（折り畳み構成では）図１２と１３の単線によって表されている。個々の蛇篭区画は旋回するように相互接続されるが、このような相互接続は簡略化のために図面には示されていない。
【００５６】
コンテナ１２０の屋根１２４の下側には突き出た歯１２５の行を含む保持手段を取り付け、各歯は図の実施形態では、隣接する折り畳んだ蛇篭区画のエッジ部分１２６の間の領域内に延び、前記部分を維持係合する。歯１２５は、弾性を備えたゴムなどの材料から構成され、左右に屈曲できるようにする。しかし、この実施形態では案内ワイヤ１２７も提供され、案内ワイヤ１２７はエッジ部分１２６とネジで係合し、プーリ１２８を周り、前記歯またはその各々に設けた適切なオリフィス（図示せず）によって、保持手段の個々の歯１２５を通過させる。案内ワイヤは一端を第１蛇篭区画１２９に固定し、他端に球状部分１３０を設け、球状部分１３０はある程度の大きな力を加えたときだけ、個々の歯１２５の案内ラインのオリフィスを通過でき、その力の程度はいったん扉が開いたとき、コンテナから（通常機械的手段によって）第１蛇篭区画が引っ張られることから生じる。
【００５７】
保持手段には追加的に補強ロッドを提供することもでき、前記補強ロッドは歯部材の第２組のオリフィスを通過し、歯１２５の可能な曲げ移動を制限し、保持手段に余分な力および安定性を提供するために役立ち、折り畳んだ蛇篭区画のエッジ部分上の維持効果を向上させる。補強ロッドは図１２と１３の破線１３１で示され、選択的に提供される。
【００５８】
図１３に示したように、コンテナの扉を開くと矢印Ｄで示した方向に（例えば、牽引トラックによって、または手動で）第１蛇篭区画を引っ張ることができる。案内ワイヤ１２７も同時に引っ張られ、球状部分１３０は第１歯１３２のオリフィスを通過させられる。それから、折り畳んだ蛇篭の第１区画のエッジ部分１３３は歯１３２に対して保持され、歯１３２を湾曲させ、コンテナから第１区画を開放する。牽引し続けると、第２区画以降の区画に対してこの過程の繰り返しが生じ、図１３に示した傾斜上でも素早く安全に蛇篭を展開できる。
【図１】
2010514959.tif 000003
【図２】
2010514959.tif 000004
【図３】
2010514959.tif 000005
【図４】
2010514959.tif 000006
【図５ａ】
2010514959.tif 000007
【図５ｂ】
2010514959.tif 000008
【図５ｃ】
2010514959.tif 000009
【図６】
2010514959.tif 000010
【図７】
2010514959.tif 000011
【図８】
2010514959.tif 000012
【図９】
2010514959.tif 000013
【図１０】
2010514959.tif 000014
【図１１】
2010514959.tif 000015
【図１２】
2010514959.tif 000016
【図１３】
2010514959.tif 000017
【国際調査報告】
2010514959.tif 000018
2010514959.tif 000019